(57)【要約】【課題】多くの項目の情報を表示すると共に、ユーザによる情報の確認を容易にした計測装置を提供する。【解決手段】物理量測定手段１１は物理量を測定し、時間計測手段１２は時間をカウントする。計算処理手段１４は、物理量測定手段１１で測定された物理量と時間計測手段１２でカウントされた時間とを入力として複数の項目のデータを算出する。第１の表示手段１７はそれら複数の項目のデータを同時に表示する。スイッチ入力手段１３は、スイッチ操作を検出する。表示制御手段１５は、更新された項目のデータを拡大表示するように第２の表示手段１６を制御する。また、表示制御手段１５は、スイッチ入力手段１３への操作により選択された項目のデータを拡大表示するように第２の表示手段１６を制御する。第２の表示手段１６は、複数の項目のうちの少なくとも１つの項目のデータを拡大して表示する。【選択図】    図１
2004212360.tif 000002
【特許請求の範囲】
【請求項１】
物理量を測定する物理量測定手段と、
時間をカウントする時間計測手段と、
前記物理量測定手段で測定された物理量と前記時間計測手段でカウントされた時間とを入力として処理を行い、複数の項目のデータを算出する計算処理手段と、
前記複数の項目のデータを同時に表示する第１の表示手段と、
前記複数の項目のうちから選択された少なくとも１つの項目のデータを拡大して表示する第２の表示手段とを有する計測装置。
【請求項２】
いずれかの項目のデータが所定の条件を満たすと、該項目のデータを拡大表示するように前記第２の表示手段を制御する表示制御手段をさらに有する、請求項１記載の計測装置。
【請求項３】
前記表示制御手段は、いずれかの項目のデータが更新されると、前記所定の条件が満たされたとして、該項目のデータを拡大表示するように前記第２の表示手段を制御する、請求項２に記載の計測装置。
【請求項４】
スイッチに対する操作を検出するスイッチ入力手段をさらに有し、
前記スイッチ入力手段への操作によりいずれかの項目が選択されると、前記表示制御手段が該項目のデータを拡大表示するように前記第２の表示手段を制御する、請求項１乃至３のいずれか１項に記載の計測装置。
【請求項５】
前記物理量は心拍数、脈拍数、気圧、気温のうち少なくとも１つを含む、請求項１乃至４のいずれか１項に記載の計測装置。
【請求項６】
前記項目は、予め設定された目標値に対する物理量の割り合いを少なくとも含む、請求項１乃至５のいずれか１項に記載の計測装置。
【請求項７】
前記第１の表示手段の表示は半透過であり、前記第１の表示手段と前記第２の表示手段は前記第２の表示手段を視線側にして重ねて設けられ、前記第１の表示手段の表示は前記第２の表示手段を透過して視認される、請求項１乃至６のいずれか１項に記載の計測装置。
【請求項８】
物理量を測定する物理量測定手段と、
前記物理量測定手段で測定された物理量の、予め設定された目標値に対する割り合いを算出する計算処理手段と、
前記割り合いを表示する表示手段とを有する計測装置。
【請求項９】
複数の項目のデータを同時に表示する第１の表示手段と、いずれかの項目を拡大表示する第２の表示手段とを有する計測装置において、測定された物理量に基づく複数の項目のデータを表示するデータ表示方法であって、
複数の項目のデータを前記第１の表示手段に常時表示するステップと、
前記複数の項目のデータのうち、所定の条件を満たしたものを前記第２の表示手段に拡大表示するステップとを有するデータ表示方法。
【請求項１０】
複数の項目のデータを同時に表示する第１の表示手段と、いずれかの項目を拡大表示する第２の表示手段とを有する計測装置において、測定された物理量に基づく複数の項目のデータを表示するデータ表示方法であって、
複数の項目のデータを前記第１の表示手段に常時表示するステップと、
前記複数の項目のデータのうち、スイッチ入力により選択された項目のデータを前記第２の表示手段に拡大表示するステップとを有するデータ表示方法。
【発明の詳細な説明】
【０００１】
【発明の属する技術分野】
本発明は、心拍、脈拍、気圧、気温などの物理量を計測して表示する計測装置に関する。
【０００２】
【従来の技術】
例えばランニング中のように、スポーツのトレーニングなどの用途で心拍や脈拍などの生体情報や気圧や気温などの環境情報を計測することがある。そして、ランナーのようなユーザ本人が計測結果を適時に確認できることが望ましいので、身に付けられる構造が望ましい。また、ランイングの妨げになってはならないので、計測装置は小型軽量であることが必要である。これらの要求を満たすものとして、腕時計と一体にされた計測装置や腕時計型のものなどがある。
【０００３】
小型化の要求から表示面積が非常に限られている。しかし、トレーニング中にユーザ本人が計測結果を確認するために、表示は見やすいものであることが望ましい。表示を見やすくするために計測結果をグラフ表示する計測装置がある（例えば、特許文献１参照）。
【０００４】
特許文献１に記載された計測装置は、計測した生体情報を、ユーザが設定した処理モードに従って処理し、処理結果をセグメント表示部やドットマトリクス表示部に表示する。セグメント表示部は、数字を表示することのできる表示部であり、処理結果の正確な値を表示する。ドットマトリクス表示部は、ｘ軸およびｙ軸で示される各座標の表示を組み合わせることにより棒グラフなど、ユーザが一目で確認しやすいグラフィック表示をする。
【０００５】
ｘ軸やｙ軸のスケールとしては、ユーザが変化を確認し易いように、処理結果を画面内に表示できる最大スケールが自動的に選択されることが望ましいと考えられる。また、このような計測装置によって表示される情報には様々なものが考えられ、平均値や瞬時値のグラフと共に、ユーザが設定した目標範囲を表示することも可能である。
【０００６】
【特許文献１】
特開平１０−２３４６８５号公報
【０００７】
【発明が解決しようとする課題】
この種の計測装置では、心拍、脈拍、気温、気圧などの物理量、目標値と物理量の関係、物理量の変化を示すグラフ、時間のカウント値、ラップ値など表示したい項目は多数ある。それらを、画面に同時に表示しようとすると、各項目を小さく表示するか、画面を大きくする必要がある。
【０００８】
各項目を小さく表示するとユーザによる確認が困難となる。一方、小型、軽量が好ましい計測装置において画面を大きくすることは好ましくない。
【０００９】
本発明の目的は、多くの項目の情報を表示すると共に、ユーザによる情報の確認を容易にした計測装置を提供することである。
【００１０】
【課題を解決するための手段】
上記目的を達成するために、本発明の計測装置は、物理量を測定する物理量測定手段と、時間をカウントする時間計測手段と、物理量測定手段で測定された物理量と時間計測手段でカウントされた時間とを入力として処理を行い、複数の項目のデータを算出する計算処理手段と、複数の項目のデータを同時に表示する第１の表示手段と、複数の項目のうちから選択された少なくとも１つの項目のデータを拡大して表示する第２の表示手段とを有している。
【００１１】
したがって、本発明の計測装置によれば、第１の表示手段に複数項目のデータが表示され、いずれかのデータが第１の表示手段に拡大して表示されるので、複数のデータが確認可能であると共に、特定項目のデータの確認が容易である。
【００１２】
また、本発明の計測装置は、いずれかの項目のデータが所定の条件を満たすと、その項目のデータを拡大表示するように第２の表示手段を制御する表示制御手段をさらに有してもよい。
【００１３】
したがって、第２の表示手段に複数項目のデータが表示されており、所定の条件を満たした項目のデータが自動的に第１の表示手段に拡大表示されるので、複数のデータが確認可能であると共に、変化の有ったデータの確認が容易である。
【００１４】
また、表示制御手段は、いずれかの項目のデータが更新されると、所定の条件が満たされたとして、その項目のデータを拡大表示するように第２の表示手段を制御することとしてもよい。
【００１５】
また、本発明の計測装置は、スイッチに対する操作を検出するスイッチ入力手段をさらに有し、スイッチ入力手段への操作によりいずれかの項目が選択されると、表示制御手段がその項目のデータを拡大表示するように第２の表示手段を制御することとしてもよい。
【００１６】
したがって、第２の表示手段に複数項目のデータが表示されており、ユーザに選択された項目のデータが第１の表示手段に拡大して表示されるので、複数項目のデータが確認可能であると共に、ユーザの希望するデータの確認が容易である。
【００１７】
また、物理量は心拍数、脈拍数、気圧、気温のうち少なくとも１つを含むこととしてもよい。
【００１８】
また、前記項目は、予め設定された目標値に対する物理量の割り合いを少なくとも含むこととしてもよい。
【００１９】
したがって、測定された物理量の目標値に対する割り合いが表示されるので、測定された物理量と目標値との関係を容易に把握することができる。
【００２０】
また、第１の表示手段の表示は半透過であり、第１の表示手段と第２の表示手段は第２の表示手段を視線側にして重ねて設けられ、第１の表示手段の表示は第２の表示手段を透過して視認されることとしてもよい。
【００２１】
したがって、第２の表示手段に表示された複数項目のデータが視認可能であるとともに、第１の表示手段に拡大表示されたデータの視認が容易である。
【００２２】
本発明の他の計測装置は、物理量を測定する物理量測定手段と、物理量測定手段で測定された物理量の、予め設定された目標値に対する割り合いを算出する計算処理手段と、割り合いを表示する表示手段とを有している。
【００２３】
本発明のデータ表示方法は、複数の項目のデータを同時に表示する第１の表示手段と、いずれかの項目を拡大表示する第２の表示手段とを有する計測装置において、測定された物理量に基づく複数の項目のデータを表示するデータ表示方法であって、複数の項目のデータを第１の表示手段に常時表示するステップと、複数の項目のデータのうち、所定の条件を満たしたものを第２の表示手段に拡大表示するステップとを有している。
【００２４】
また、本発明の他のデータ表示方法は、複数の項目のデータを同時に表示する第１の表示手段と、いずれかの項目を拡大表示する第２の表示手段とを有する計測装置において、測定された物理量に基づく複数の項目のデータを表示するデータ表示方法であって、複数の項目のデータを第１の表示手段に常時表示するステップと、複数の項目のデータのうち、スイッチ入力により選択された項目のデータを第２の表示手段に拡大表示するステップとを有している。
【００２５】
【発明の実施の形態】
本発明の一実施形態について図面を参照して詳細に説明する。
【００２６】
図１は、本実施形態の計測装置の構成を示すブロック図である。図１を参照すると、計測装置１０は、物理量測定部１１、時間計測カウンタ１２、スイッチ入力部１３、計算処理部１４、表示制御部１５、上面表示部１６および下面表示部１７を有している。
【００２７】
物理量測定部１１は、心拍、脈拍、気圧、気温などの物理量を測定し、計算処理部１２に通知する。時間計測カウンタ１２は時間を測定する。
【００２８】
スイッチ入力部１３は、ユーザの操作により入力された情報を計算処理部１４に通知する。例えば、ユーザにより入力される情報とは、例えば物理量測定部１１または時間計測カウンタ１２へ測定開始および停止を指示する情報や、表示制御部１５へ表示の切り替えを指示する情報である。
【００２９】
計算処理部１４は、時間計測カウンタ１２により計測される時間と、物理量測定部１１で測定される物理量を用いて各種の処理を行う。例えば、一定時間間隔の気温や気圧の測定や、一定時間毎の脈拍数や心拍数の計測が行われ、グラフ化される。他の例としては、予め設定された目標値に対する、物理量測定部１１で測定された物理量の割り合いが算出される。また、他の例としては、物理量と目標値との差分が算出される。
【００３０】
表示制御部１５は、スイッチ入力部１３からの情報に従って、計算処理部１４での処理結果を表示部に表示する。本計測装置１０の表示部は上面表示部１６および下面表示部１７からなる２段構造である。また、上面表示部１６の上偏向板２１と、下面表示部１７の上偏向板２３とは、互いに異なる色のものである。
【００３１】
図２は、表示部の構造を示す断面図である。図２を参照すると、上面表示部（上パネル）１６および下面表示部（下パネル）１７の２枚の液晶パネルが重ね合わされている。図２において、ユーザの視線上方からである。上面表示部１６は、液晶板２２の上に上偏向板２１が設けられた構造である。下面表示部１７は、液晶板２４を上偏向板２３と下偏向板２５で上下から挟み、下偏向板２５のさらに下に半透過反射板２６が設けられた構造である。
【００３２】
液晶板２２、２４は共に半透過型液晶板である。そして、液晶板２２と液晶板２４の間に反射板が無く、液晶板２４の下にのみ半透過反射板２６がある。そのため液晶板２４の表示が液晶板２２の表示を透過するので、上方から見ると２つの表示が重なって見える。ただし、液晶板２２の表示すなわち上面表示部１６の表示は、液晶板２４の表示すなわち下面表示部１７の表示よりも鮮明に見える。
【００３３】
本実施形態の計測装置１０は、ユーザが設定した目標値、測定された心拍や脈拍などの物理量、目標値に対する物理量の割り合い、物理量の変化を示すグラフ、時間のカウント値、ラップ値、物理量の目標値との差分の各項目のデータを表示するものであるとする。
【００３４】
計測装置１０は、下面表示部１７の画面を分割し、これら全ての項目を同時に表示しており、上面表示部１６の画面に、それらのいずれかの項目を大きく表示する。
【００３５】
図３は、下面表示部の表示例を示す図である。図３を参照すると、ユーザが設定した目標値として、ここでは目標値の範囲「ＭＡＸ１３１  ＭＩＮ８１」が示されている。また、測定された心拍や脈拍などの物理量として、ここでは「１２４ｂｐｍ」が表示されている。また、目標値に対する物理量の割り合いとして、ここでは「８５％」が表示されている。また、物理量の変化を示すグラフが、ここでは左下に示されている。また、時間のカウント値として、ここでは「１：３０’５３”８７」が示されている。また、ラップ値として、「（２４）ＬＡＰ」が示されている。また、物理量の目標値との差分として、「−８」が示されている。
【００３６】
上面表示部１６の画面に表示される項目のデータは、スイッチ入力部１３からの入力により切り替え可能である。また、いずれかの項目のデータに変化があると、その項目が自動的に上面表示部１６に表示される。
【００３７】
図４は、本実施形態による計測装置のスイッチ操作による画面切り替え動作を示すフローチャートである。図５は、上面表示部の表示に切り替わりの様子を示す図である。
【００３８】
図４を参照すると、予め、計測装置１０は、最新の全ての項目のデータを下面表示部１７（下層ＬＣＤ）に表示している（ステップ１０１）。
【００３９】
次に、計測装置１０は、スイッチ入力部１３からの入力により物理量が選択されたか否か判定する（ステップ１０２）。物理量が選択されていれば、計測装置１０は、物理量のデータを上面表示部（上層ＬＣＤ）１６に表示する（ステップ１０３）。これにより、図５に示された画像５１が上面表示部１６に表示される。このとき表示部を上方から見ると、上面表示部１６の表示と下面表示部１７の表示が重なって図６のように見える。図６では、上面表示部１６の表示は黒く塗りつぶされたドットで示され、下面表示部１７の表示は白抜きのドットで示されている。
【００４０】
物理量が選択されていなければ、計測装置１０は、次に、スイッチ入力部１３からの入力により、目標値に対する物理量の割り合い（パーセント値）が選択されたか否か判定する（ステップ１０４）。パーセント値が選択されていれば、計測装置１０は、パーセント値のデータを上面表示部１６に表示する（ステップ１０５）。これにより、図５に示された画像５２が上面表示部１６に表示される。このとき表示部を上方から見ると図７のように見える。
【００４１】
パーセント値が選択されていなければ、計測装置１０は、次に、スイッチ入力部１３からの入力により、物理量の変化を示すグラフが選択されたか否か判定する（ステップ１０６）。グラフが選択されていれば、計測装置１０は、グラフのデータを上面表示部１６に表示する（ステップ１０７）。これにより、図５に示された画像５３が上面表示部１６に表示される。このとき表示部を上方から見ると図８のように見える。
【００４２】
グラフが選択されていなければ、計測装置１０は、次に、スイッチ入力部１３からの入力により、時間のカウント値が選択されたか否か判定する（ステップ１０８）。カウント値が選択されていれば、計測装置１０は、カウント値のデータを上面表示部１６に表示する（ステップ１０９）。これにより、図５に示された画像５４が上面表示部１６に表示される。このとき表示部を上方から見ると図９のように見える。
【００４３】
カウント値が選択されていなければ、計測装置１０は、次に、スイッチ入力部１３からの入力により、ラップ値が選択されたか否か判定する（ステップ１１０）。ラップ値が選択されていれば、計測装置１０は、ラップ値のデータを上面表示部１６に表示する（ステップ１１１）。これにより、図５に示された画像５５が上面表示部１６に表示される。このとき表示部を上方から見ると図１０のように見える。
【００４４】
ラップ値が選択されていなければ、計測装置１０は、次に、物理量の目標値との差分を上面表示部１６に表示する（ステップ１１２）。これにより、図５に示された画像５６が上面表示部１６に表示される。このとき表示部を上方から見ると図１１のように見える。
【００４５】
図１２は、本実施形態による計測装置における物理量変化による画面切り替え動作を示すフローチャートである。図１２を参照すると、予め、計測装置１０は、最新の全ての項目のデータを下面表示部１７（下面ＬＣＤ）に表示している（ステップ２０１）。計測装置１０は、物理量の変化を監視しており（ステップ２０２）、変化があると、物理量の最新のデータを上面表示部（上面ＬＣＤ）１６に表示する（ステップ２０３）。
【００４６】
図１３は、本実施形態による計測装置における、目標値に対する物理量の割り合いの変化による画面切り替え動作を示すフローチャートである。図１３を参照すると、予め、計測装置１０は、最新の全ての項目のデータを下面表示部１７に表示している（ステップ３０１）。計測装置１０は、目標値に対する物理量の割り合い（％値）の変化を監視しており（ステップ３０２）、変化があると、割り合いの最新のデータを上面表示部１６に表示する（ステップ３０３）。
【００４７】
図１４は、本実施形態による計測装置における、物理量の変化を示すグラフの更新による画面切り替え動作を示すフローチャートである。図１４を参照すると、予め、計測装置１０は、最新の全ての項目のデータを下面表示部１７に表示している（ステップ４０１）。計測装置１０は、例えば定期的にグラフを更新し、その更新を監視しており（ステップ４０２）、更新があると、最新のグラフを上面表示部１６に表示する（ステップ４０３）。
【００４８】
図１５は、本実施形態による計測装置における、所定時間の経過による画面切り替え動作を示すフローチャートである。図１５を参照すると、予め、計測装置１０は、最新の全ての項目のデータを下面表示部１７に表示している（ステップ５０１）。計測装置１０は、所定時間の経過を監視している（ステップ５０２）。例えば、計測装置１０は、１０分の桁の桁上がりを監視することにより、１０分の経過を監視する。所定時間を経過すると、計測装置１０は、カウント値の最新のデータを上面表示部１６に表示する（ステップ５０３）。
【００４９】
図１６は、本実施形態による計測装置における、ラップの更新による画面切り替え動作を示すフローチャートである。図１６を参照すると、予め、計測装置１０は、最新の全ての項目のデータを下面表示部１７に表示している（ステップ６０１）。計測装置１０は、ラップの更新を監視しており（ステップ５０２）。更新があると、計測装置１０は、ラップ値の最新のデータを上面表示部１６に表示する（ステップ６０３）。
【００５０】
したがって、本実施形態の計測装置１０によれば、下面表示部１７に複数のデータが表示され、ユーザの選択により、いずれかのデータが上面表示部１６に拡大して表示されるので、複数のデータをユーザによって確認可能であると共に、ユーザの希望するデータの確認が容易である。
【００５１】
また、本実施形態の計測装置１０によれば、下面表示部１７に複数のデータが表示され、いずれかのデータが更新されるとそのデータが自動的に上面表示部１６に拡大して表示されるので、複数のデータをユーザによって確認可能であると共に、変化の有ったデータの確認が容易である。
【００５２】
また、本実施形態の計測装置１０によれば、測定された物理量の目標値に対する割り合いが表示されるので、測定された物理量と目標値との関係を容易に把握することができる。
【００５３】
なお、本実施形態では、上面表示部１６に表示する項目はいずれか１つとしたが、本発明はそれに限定されない。下面表示部１７に表示される項目の中から選択された少なくとも１つの項目が視認容易に拡大して表示されればよい。
【００５４】
【発明の効果】
本発明の計測装置によれば、第１の表示手段に複数項目のデータが表示され、いずれかのデータが第１の表示手段に拡大して表示されるので、複数のデータが確認可能であると共に、特定項目のデータの確認が容易である。
【００５５】
また、第２の表示手段に複数項目のデータが表示されており、所定の条件を満たした項目のデータが自動的に第１の表示手段に拡大表示されるので、複数のデータが確認可能であると共に、変化の有ったデータの確認が容易である。
【００５６】
また、第２の表示手段に複数項目のデータが表示されており、ユーザに選択された項目のデータが第１の表示手段に拡大して表示されるので、複数項目のデータが確認可能であると共に、ユーザの希望するデータの確認が容易である。
【００５７】
また、測定された物理量の目標値に対する割り合いが表示されるので、測定された物理量と目標値との関係を容易に把握することができる。
【００５８】
また、第２の表示手段に表示された複数項目のデータが視認可能であるとともに、第１の表示手段に拡大表示されたデータの視認が容易である。
【図面の簡単な説明】
【図１】本発明の一実施形態の計測装置の構成を示すブロック図である。
【図２】表示部の構造を示す断面図である。
【図３】下面表示部の表示例を示す図である。
【図４】本実施形態による計測装置のスイッチ操作による画面切り替え動作を示すフローチャートである。
【図５】上面表示部の表示に切り替わりの様子を示す図である。
【図６】物理量が選択されたときの表示部を上方から見た図である。
【図７】割り合いが選択されたときの表示部を上方から見た図である。
【図８】物理量の変化を示すグラフが選択されたときの表示部を上方から見た図である。
【図９】時間のカウント値が選択されたときの表示部を上方から見た図である。
【図１０】ラップ値が選択されたときの表示部を上方から見た図である。
【図１１】物理量と目標値との差分が選択されたときの表示部を上方から見た図である。
【図１２】本実施形態による計測装置における物理量変化による画面切り替え動作を示すフローチャートである。
【図１３】本実施形態による計測装置における、目標値に対する物理量の割り合いの変化による画面切り替え動作を示すフローチャートである。
【図１４】本実施形態による計測装置における、物理量の変化を示すグラフの更新による画面切り替え動作を示すフローチャートである。
【図１５】本実施形態による計測装置における、所定時間の経過による画面切り替え動作を示すフローチャートである。
【図１６】本実施形態による計測装置における、ラップの更新による画面切り替え動作を示すフローチャートである。
【符号の説明】
１０    計測装置
１１    物理量測定部
１２    時間計測カウンタ
１３    スイッチ入力部
１４    計算処理部
１５    表示制御部
１６    上面表示部
１７    下面表示部
２１    上偏向板
２２    液晶板
２３    上偏向板
２４    液晶板
２５    下偏向板
２６    半透過反射板
５１〜５６    画像
１０１〜１１２，２０１〜２０３，３０１〜３０３，４０１〜４０３，５０１〜５０３，６０１〜６０３    ステップ
【図１】
2004212360.tif 000003
【図２】
2004212360.tif 000004
【図３】
2004212360.tif 000005
【図４】
2004212360.tif 000006
【図５】
2004212360.tif 000007
【図６】
2004212360.tif 000008
【図７】
2004212360.tif 000009
【図８】
2004212360.tif 000010
【図９】
2004212360.tif 000011
【図１０】
2004212360.tif 000012
【図１１】
2004212360.tif 000013
【図１２】
2004212360.tif 000014
【図１３】
2004212360.tif 000015
【図１４】
2004212360.tif 000016
【図１５】
2004212360.tif 000017
【図１６】
2004212360.tif 000018